(57)【要約】【課題】原稿上の画像を読み取って画像データを生成する場合に、生成した画像の上に別の画像を重ねる構成と比較して、原稿に基づく画像を維持するとともに、原稿上の画像を読み取って生成したことを把握し易くする。【解決手段】画像処理装置１００は、原稿上の画像を読み取って生成された画像データを取得する入力原稿データ取得部１０１と、原稿のサイズとは異なる予め定められた原稿のサイズを特定する出力原稿サイズ特定部１０３と、取得した画像データにおいて画像の大きさを変えずに別の画像の画像データを付加し、予め定められた原稿のサイズに対応する画像データを生成する出力原稿データ生成部１０６とを備える。【選択図】図２
2018160768.tif 000002
【特許請求の範囲】
【請求項１】
原稿上の画像を読み取って生成された画像データを取得する取得手段と、
前記原稿のサイズとは異なる予め定められた原稿のサイズを特定する特定手段と、
前記画像データにおいて前記画像の大きさを変えずに別の画像の画像データを付加し、前記予め定められた原稿のサイズに対応する画像データを生成する生成手段と
を備える画像処理装置。
【請求項２】
前記別の画像は、前記生成手段により生成された前記画像データに含まれる前記画像が、原稿上の画像を読み取って生成されたことを示すためのものであること
を特徴とする請求項１に記載の画像処理装置。
【請求項３】
前記別の画像は、原稿上の画像を読み取って画像データを生成する処理に関する情報を含むこと
を特徴とする請求項１又は２に記載の画像処理装置。
【請求項４】
前記情報は、原稿上の画像を読み取って画像データを生成することを指示する操作入力を行ったユーザを特定する情報であること
を特徴とする請求項３に記載の画像処理装置。
【請求項５】
前記特定手段は、読み取られる前記原稿のサイズと、当該原稿のサイズとは異なる原稿のサイズとを予め対応付けた対応関係により、前記予め定められた原稿のサイズを特定すること
を特徴とする請求項１乃至４の何れか１項に記載の画像処理装置。
【請求項６】
前記生成手段は、予め定められた手順に従って、前記画像に対して前記別の画像を付加する位置を決定すること
を特徴とする請求項１乃至５の何れか１項に記載の画像処理装置。
【請求項７】
前記予め定められた手順は、前記画像の内容によって前記別の画像を付加する位置を決定するものであること
を特徴とする請求項６に記載の画像処理装置。
【請求項８】
原稿上の画像を読み取って生成された画像データを取得する取得手段と、
第１の動作設定で動作している場合に、前記取得手段により取得された画像データに基づく画像を前記原稿に対応するサイズで出力し、第２の動作設定で動作している場合に、当該画像の大きさを変えずに前記原稿に対応するサイズよりも大きい予め定められたサイズで出力する出力手段と
を備える画像処理装置。
【請求項９】
ユーザからの操作入力により前記第１の動作設定と前記第２の動作設定とを切り替える切替手段をさらに備えること
を特徴とする請求項８に記載の画像処理装置。
【請求項１０】
コンピュータに、
原稿上の画像を読み取って生成された画像データを取得する機能と、
前記原稿のサイズとは異なる予め定められた原稿のサイズを特定する機能と、
前記画像データにおいて前記画像の大きさを変えずに別の画像の画像データを付加し、前記予め定められた原稿のサイズに対応する画像データを生成する機能と
を実現させるためのプログラム。
【発明の詳細な説明】
【技術分野】
【０００１】
本発明は、画像処理装置及びプログラムに関する。
【背景技術】
【０００２】
例えば、特許文献１には、画像情報を入力する画像情報入力手段と、画像情報入力手段から入力された画像情報に対し、画像形成装置を特定する視認可能な所定の付加画像情報を付加する画像付加手段と、画像付加手段で所定の付加画像情報が付加された後の付加後の画像情報から画像を形成して、記録材上に記録する画像記録手段とを備える画像形成装置であり、所定の付加画像情報は、画像情報入力手段で入力された画像情報と全体的に重なる記録材上の所定位置に記録可能な情報であることが開示されている。
【０００３】
例えば、特許文献２には、複写機が、原稿を画像データとして読み取り、画像データに管理文書であることを示す情報が付加されているかを判定し、ＹＥＳであれば、画像データに複製マークを埋め込み、その画像データを印刷し、ＮＯであれば、マークの埋め込みを行わずに画像データを印刷する技術が開示されている。
【先行技術文献】
【特許文献】
【０００４】
【特許文献１】特開２００７−１９９２５号公報
【特許文献２】特開２００７−２５１３５９号公報
【発明の概要】
【発明が解決しようとする課題】
【０００５】
オリジナルの画像を読み取って新たな画像データを生成した場合、生成した画像はオリジナルの画像ではないが、オリジナルの画像ではないことを目視で判断するのは難しい場合がある。オリジナルの画像ではないことを示すために、生成した画像の上に別の画像を重ねた場合には、生成した画像の内容が別の画像で隠れてしまったり、生成した画像と別の画像との区別がつかずに別の画像が重ねられたことを判別しづらかったりすることがある。
本発明の目的は、原稿上の画像を読み取って画像データを生成する場合に、生成した画像の上に別の画像を重ねる構成と比較して、原稿に基づく画像を維持するとともに、原稿上の画像を読み取って生成したことを把握し易くすることにある。
【課題を解決するための手段】
【０００６】
請求項１に記載の発明は、原稿上の画像を読み取って生成された画像データを取得する取得手段と、前記原稿のサイズとは異なる予め定められた原稿のサイズを特定する特定手段と、前記画像データにおいて前記画像の大きさを変えずに別の画像の画像データを付加し、前記予め定められた原稿のサイズに対応する画像データを生成する生成手段とを備える画像処理装置である。
請求項２に記載の発明は、前記別の画像は、前記生成手段により生成された前記画像データに含まれる前記画像が、原稿上の画像を読み取って生成されたことを示すためのものであることを特徴とする請求項１に記載の画像処理装置である。
請求項３に記載の発明は、前記別の画像は、原稿上の画像を読み取って画像データを生成する処理に関する情報を含むことを特徴とする請求項１又は２に記載の画像処理装置である。
請求項４に記載の発明は、前記情報は、原稿上の画像を読み取って画像データを生成することを指示する操作入力を行ったユーザを特定する情報であることを特徴とする請求項３に記載の画像処理装置である。
請求項５に記載の発明は、前記特定手段は、読み取られる前記原稿のサイズと、当該原稿のサイズとは異なる原稿のサイズとを予め対応付けた対応関係により、前記予め定められた原稿のサイズを特定することを特徴とする請求項１乃至４の何れか１項に記載の画像処理装置である。
請求項６に記載の発明は、前記生成手段は、予め定められた手順に従って、前記画像に対して前記別の画像を付加する位置を決定することを特徴とする請求項１乃至５の何れか１項に記載の画像処理装置である。
請求項７に記載の発明は、前記予め定められた手順は、前記画像の内容によって前記別の画像を付加する位置を決定するものであることを特徴とする請求項６に記載の画像処理装置である。
請求項８に記載の発明は、原稿上の画像を読み取って生成された画像データを取得する取得手段と、第１の動作設定で動作している場合に、前記取得手段により取得された画像データに基づく画像を前記原稿に対応するサイズで出力し、第２の動作設定で動作している場合に、当該画像の大きさを変えずに前記原稿に対応するサイズよりも大きい予め定められたサイズで出力する出力手段とを備える画像処理装置である。
請求項９に記載の発明は、ユーザからの操作入力により前記第１の動作設定と前記第２の動作設定とを切り替える切替手段をさらに備えることを特徴とする請求項８に記載の画像処理装置である。
請求項１０に記載の発明は、コンピュータに、原稿上の画像を読み取って生成された画像データを取得する機能と、前記原稿のサイズとは異なる予め定められた原稿のサイズを特定する機能と、前記画像データにおいて前記画像の大きさを変えずに別の画像の画像データを付加し、前記予め定められた原稿のサイズに対応する画像データを生成する機能とを実現させるためのプログラムである。
【発明の効果】
【０００７】
請求項１記載の発明によれば、原稿上の画像を読み取って画像データを生成する場合に、生成した画像の上に別の画像を重ねる構成と比較して、原稿に基づく画像を維持するとともに、原稿上の画像を読み取って生成したことを把握し易くすることができる。
請求項２記載の発明によれば、原稿上の画像を読み取って画像データを生成する場合に、生成した画像の上に別の画像を重ねる構成と比較して、より確実に、原稿上の画像を読み取って生成したことを把握することができる。
請求項３記載の発明によれば、原稿上の画像を読み取って画像データを生成する処理に関する情報を含まない構成と比較して、原稿上の画像を読み取って生成したことを把握し易くすることができる。
請求項４記載の発明によれば、操作入力を行ったユーザを特定しない情報である場合と比較して、原稿上の画像の内容が拡散することを抑制することができる。
請求項５記載の発明によれば、原稿のサイズと、原稿のサイズとは異なるサイズとが対応付けられていない構成と比較して、予め定められた原稿のサイズの特定が簡易になる。
請求項６記載の発明によれば、手順が定められていない構成と比較して、別の画像を付加することが簡易になる。
請求項７記載の発明によれば、ユーザが別の画像を付加する位置を決定する構成と比較して、予め定められた原稿のサイズに対応する画像データを生成する際のユーザの手間が軽減される。
請求項８記載の発明によれば、原稿上の画像を読み取って画像データを生成する場合に、生成した画像の上に別の画像を重ねる構成と比較して、原稿に基づく画像を維持するとともに、原稿上の画像を読み取って生成したことを把握し易くすることができる。
請求項９記載の発明によれば、第１の動作設定と第２の動作設定との何れの動作設定で動作させるかをユーザが選択することができる。
請求項１０記載の発明によれば、原稿上の画像を読み取って画像データを生成する場合に、生成した画像の上に別の画像を重ねる構成と比較して、原稿に基づく画像を維持するとともに、原稿上の画像を読み取って生成したことを把握し易くする機能を、コンピュータにより実現できる。
【図面の簡単な説明】
【０００８】
【図１】本実施の形態に係る画像処理装置のハードウェア構成例を示す図である。
【図２】本実施の形態に係る画像処理装置の機能構成例を示したブロック図である。
【図３】対応テーブル格納部に格納されている対応テーブルの一例を示す図である。
【図４】第２の動作設定において出力画像を生成する処理の一例を説明するための図である。
【図５】（ａ）〜（ｄ）は、付加画像の位置の他の例を示す図である。
【図６】（ａ）〜（ｅ）は、付加画像の位置の他の例を示す図である。
【図７】（ａ）〜（ｄ）は、付加画像の位置の他の例を示す図である。
【図８】入力画像の内容によって付加画像の位置を決定する処理の一例を説明するための図である。
【図９】画像処理装置が入力原稿データを取得して出力原稿データを出力するまでの処理手順の一例を示したフローチャートである。
【図１０】本実施の形態を適用可能なコンピュータのハードウェア構成例を示した図である。
【発明を実施するための形態】
【０００９】
以下、添付図面を参照して、本発明の実施の形態について詳細に説明する。
【００１０】
＜画像処理装置のハードウェア構成＞
まず、本実施の形態に係る画像処理装置１００のハードウェア構成について説明する。図１は、本実施の形態に係る画像処理装置１００のハードウェア構成例を示す図である。本実施の形態に係る画像処理装置１００は、例えば、画像読み取り機能（スキャン機能）、印刷機能（プリント機能）、複写機能（コピー機能）及びファクシミリ機能等の各種の画像処理機能を備えた、いわゆる複合機である。
【００１１】
図示するように、本実施の形態に係る画像処理装置１００は、制御部１１０と、ＨＤＤ（Hard Disk Drive）１２０と、操作パネル１３０と、画像読取部１４０と、画像形成部１５０と、通信インタフェース（以下、「通信Ｉ／Ｆ」と表記する）１６０とを備える。なお、これらの各機能部はバス１７０に接続されており、このバス１７０を介してデータの授受を行う。
【００１２】
制御部１１０は、画像処理装置１００の各部の動作を制御する。この制御部１１０は、ＣＰＵ（Central Processing Unit）１１０ａ、ＲＡＭ（Random Access Memory）１１０ｂ、ＲＯＭ（Read Only Memory）１１０ｃにより構成される。
ＣＰＵ１１０ａは、ＲＯＭ１１０ｃ等に記憶された各種プログラムをＲＡＭ１１０ｂにロードして実行することにより、画像処理装置１００における各機能を実現する。ＲＡＭ１１０ｂは、ＣＰＵ１１０ａの作業用メモリ等として用いられるメモリ（記憶部）である。ＲＯＭ１１０ｃは、ＣＰＵ１１０ａが実行する各種プログラム等を記憶するメモリ（記憶部）である。
【００１３】
ＨＤＤ１２０は、各種データを記憶する記憶部である。ＨＤＤ１２０には、例えば、画像読取部１４０の画像読み取りによって生成された画像データや、通信Ｉ／Ｆ１６０によって外部から受信した画像データ等が記憶される。
【００１４】
操作パネル１３０は、各種の情報を表示するとともに、ユーザからの操作を受け付ける。この操作パネル１３０は、液晶ディスプレイ等で構成された表示パネル、表示パネルの上に配置され、ユーザによりタッチされた位置を検出するタッチパネル、ユーザにより押下される物理キー等から構成される。そして、操作パネル１３０は、例えば、画像処理装置１００の操作画面等の各種画面を表示パネルに表示したり、タッチパネル及び物理キーによりユーザからの操作を受け付けたりする。
【００１５】
画像読取部１４０は、原稿台上にセットされた用紙等の記録材（原稿）に形成されている画像を読み取って（スキャンして）、読み取った画像を示す画像データを生成する。ここで、画像読取部１４０は、例えばスキャナーであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１６】
画像形成部１５０は、用紙等の記録材に画像を形成する印刷機構である。ここで、画像形成部１５０は、例えばプリンターであり、感光体に付着させたトナーを記録材に転写して像を形成する電子写真方式や、インクを記録材上に吐出して像を形成するインクジェット方式のものを用いるとよい。
【００１７】
通信Ｉ／Ｆ１６０は、不図示のネットワークを介して他の装置との間で各種データの送受信を行う通信インタフェースである。
【００１８】
そして、この画像処理装置１００では、制御部１１０による制御の下、画像読取部１４０によってスキャン機能が実現され、画像形成部１５０によってプリント機能が実現され、画像読取部１４０及び画像形成部１５０によってコピー機能が実現され、画像読取部１４０、画像形成部１５０及び通信Ｉ／Ｆ１６０によってファクシミリ機能が実現される。
【００１９】
また、以下では、画像読取部１４０が原稿上の画像を読み取って生成した画像データを「入力原稿データ」、画像読取部１４０が読み取った原稿上の画像を画像処理装置１００にて出力するときの出力用の画像データを「出力原稿データ」と称する場合がある。
さらに、入力原稿データの示す画像（入力原稿データに基づく画像）を「入力画像」、出力原稿データの示す画像（出力原稿データに基づく画像）を「出力画像」と称する場合がある。
【００２０】
そして、画像読取部１４０が読み取った原稿のサイズを「入力原稿サイズ」、画像読取部１４０が読み取った原稿上の画像を画像処理装置１００にて出力するときの原稿のサイズを「出力原稿サイズ」と称する場合がある。ここで、入力原稿サイズは入力画像のサイズであり、出力原稿サイズは出力画像のサイズとして捉えることができる。
【００２１】
＜画像処理装置の機能構成＞
次に、本実施の形態に係る画像処理装置１００の機能構成について説明する。図２は、本実施の形態に係る画像処理装置１００の機能構成例を示したブロック図である。
【００２２】
ここで、本実施の形態に係る画像処理装置１００は、第１の動作設定、第２の動作設定という２つの動作設定を有している。第１の動作設定は、画像読取部１４０が読み取った原稿上の画像を、その原稿（画像読取部１４０の原稿台にセットされた原稿）に対応するサイズ（即ち、入力原稿サイズ）で出力する動作設定である。一方、第２の動作設定は、画像読取部１４０が読み取った原稿上の画像を、その原稿に対応するサイズとは異なるサイズ、言い換えると、その原稿に対応するサイズよりも大きいサイズで出力する動作設定である。
【００２３】
付言すると、第１の動作設定は、画像読取部１４０が読み取った原稿上の画像を、入力原稿サイズで出力する動作設定である。一方、第２の動作設定は、画像読取部１４０が読み取った原稿上の画像を、入力原稿サイズとは異なる出力原稿サイズ、言い換えると、入力原稿サイズよりも大きい出力原稿サイズで出力する動作設定である。
【００２４】
さらに説明すると、第２の動作設定では、入力原稿データに対して別の画像データが付加されて、出力原稿データが生成される。ここで、別の画像データは、原稿上の画像を読み取ることにより入力原稿データ（又は、出力原稿データ）が生成されたことを示すために付加されるものである。言い換えると、入力画像がオリジナルの画像を示すものではなく、オリジナルの画像を読み取って生成されたことを示すために付加されるものである。
【００２５】
以下では、入力原稿データに付加される別の画像データを「付加画像データ」と称し、付加画像データに基づく画像（即ち、入力画像に付加される画像）を「付加画像」と称する場合がある。本実施の形態では、別の画像の一例として、付加画像が用いられる。
【００２６】
このような動作設定を有する画像処理装置１００は、主にデータの処理に関わる機能部として、入力原稿データ取得部１０１と、入力原稿サイズ検知部１０２と、出力原稿サイズ特定部１０３と、付加画像データ生成部１０４と、出力原稿データ生成部１０６と、動作設定切替部１０８とを備える。また、画像処理装置１００は、主にデータの格納に関わる機能部として、対応テーブル格納部１０５と、動作設定情報格納部１０７とを備える。
【００２７】
入力原稿データ取得部１０１は、画像読取部１４０が原稿上の画像を読み取って生成した入力原稿データを取得する。ここで、画像処理装置１００が第１の動作設定で動作している場合、入力原稿データ取得部１０１は、取得した入力原稿データを出力原稿データ生成部１０６に出力する。一方、画像処理装置１００が第２の動作設定で動作している場合、入力原稿データ取得部１０１は、取得した入力原稿データを出力原稿データ生成部１０６に出力するとともに、入力原稿サイズ検知部１０２に出力する。
【００２８】
入力原稿サイズ検知部１０２は、第２の動作設定において、入力原稿データ取得部１０１から取得した入力原稿データのデータ内容を基に、入力原稿サイズを検知する。ここで、入力原稿サイズ検知部１０２は、例えば、一般的な規格であるＡ判及びＢ判の各サイズと、入力原稿データにおける原稿のサイズとを比較して、入力原稿サイズを検知する。より具体的には、例えば、画像読取部１４０がＡ４判の原稿上の画像を読み取って入力原稿データを生成した場合、入力原稿サイズ検知部１０２は、入力原稿データのデータ内容を基に、入力原稿サイズがＡ４判であることを検知する。
【００２９】
出力原稿サイズ特定部１０３は、第２の動作設定において、入力原稿サイズ検知部１０２により検知された入力原稿サイズを基に、入力原稿サイズとは異なる予め定められたサイズである出力原稿サイズを特定する。ここで、出力原稿サイズ特定部１０３は、対応テーブル格納部１０５に格納されている対応テーブルを参照して、入力原稿サイズに対応する出力原稿サイズを特定する。
【００３０】
対応テーブル格納部１０５は、入力原稿サイズと出力原稿サイズとを予め対応付けた対応テーブルを格納する。対応テーブルの詳細については、後述する。本実施の形態では、対応関係の一例として、対応テーブルが用いられる。
【００３１】
付加画像データ生成部１０４は、第２の動作設定において、入力原稿データに付加する付加画像データを生成する。ここで、付加画像データ生成部１０４は、入力原稿サイズ検知部１０２により検知された入力原稿サイズと、出力原稿サイズ特定部１０３により特定された出力原稿サイズとを基に、付加画像のサイズを特定する。そして、付加画像データ生成部１０４は、特定したサイズを持つ付加画像の画像データを生成する。なお、付加画像内には、外部に通知する情報を含む画像（以下、通知画像と称する）が配置される。通知画像の詳細については、後述する。
【００３２】
出力原稿データ生成部１０６は、第１の動作設定において、入力原稿データ取得部１０１から取得した入力原稿データをそのまま出力原稿データとして、例えば、操作パネル１３０や画像形成部１５０等に出力する。例えば、操作パネル１３０に出力された場合には、入力原稿サイズの入力画像が画面に表示される。また、例えば、画像形成部１５０に出力された場合には、入力原稿サイズの用紙に入力画像が形成されて出力される。
【００３３】
一方、出力原稿データ生成部１０６は、第２の動作設定において、入力原稿データ取得部１０１から取得した入力原稿データにて入力画像を変えずにそのままで、付加画像を付加し、出力原稿サイズに対応する出力原稿データを生成する。そして、出力原稿データ生成部１０６は、生成した出力原稿データを、例えば、操作パネル１３０や画像形成部１５０等に出力する。例えば、操作パネル１３０に出力された場合には、出力原稿サイズの出力画像が画面に表示される。また、例えば、画像形成部１５０に出力された場合には、出力原稿サイズの用紙に出力画像が形成されて出力される。
【００３４】
付言すると、出力原稿データ生成部１０６は、第２の動作設定において、入力画像を変えることなく付加画像を付加し、入力画像の内容を維持する。なお、出力原稿データ生成部１０６の処理によっては、入力原稿データに基づく入力画像と、出力原稿データに含まれる入力画像との間に、誤差が生じることも考えられる。よって、出力原稿データ生成部１０６は、第２の動作設定において、入力原稿データに基づく入力画像と出力原稿データに含まれる入力画像との差異の程度が予め定められた程度よりも小さくなるように、出力原稿データを生成するものとして捉えることもできる。
【００３５】
動作設定情報格納部１０７は、画像処理装置１００において動作中の動作設定を表す設定情報（以下、動作設定情報と称する）を格納する。例えば、画像処理装置１００が第１の動作設定で動作中の場合、動作設定情報には、画像処理装置１００が第１の動作設定で動作することが示されている。
【００３６】
動作設定切替部１０８は、画像処理装置１００における動作設定の切替を行う。ここで、動作設定切替部１０８は、例えばユーザからの操作入力などを基に、動作設定情報格納部１０７に格納されている動作設定情報を書き換えて、画像処理装置１００の動作設定の切替を行う。例えば、画像処理装置１００の初期設定として第１の動作設定がなされている場合に、ユーザが第２の動作設定に切り替える操作入力を行うと、動作設定切替部１０８は、動作設定情報格納部１０７に格納されている動作設定情報を第１の動作設定から第２の動作設定に書き換える処理を行う。これにより、画像処理装置１００は、第２の動作設定で動作するようになる。
【００３７】
そして、図２に示す画像処理装置１００を構成する各機能部は、ソフトウェアとハードウェア資源とが協働することにより実現される。具体的には、画像処理装置１００を図１に示したハードウェア構成にて実現した場合、例えば、ＲＯＭ１１０ｃに格納されているＯＳのプログラムやアプリケーション・プログラムが、ＲＡＭ１１０ｂに読み込まれてＣＰＵ１１０ａに実行されることにより、入力原稿データ取得部１０１、入力原稿サイズ検知部１０２、出力原稿サイズ特定部１０３、付加画像データ生成部１０４、出力原稿データ生成部１０６、動作設定切替部１０８等の各機能部が実現される。また、対応テーブル格納部１０５、動作設定情報格納部１０７は、例えば、ＨＤＤ１２０等により実現される。
【００３８】
なお、本実施の形態では、取得手段の一例として、入力原稿データ取得部１０１が用いられる。特定手段の一例として、出力原稿サイズ特定部１０３が用いられる。生成手段の一例として、出力原稿データ生成部１０６が用いられる。出力手段の一例として、出力原稿データ生成部１０６，操作パネル１３０，画像形成部１５０が用いられる。切替手段の一例として、動作設定切替部１０８が用いられる。
【００３９】
＜対応テーブルの説明＞
次に、対応テーブル格納部１０５に格納されている対応テーブルについて説明する。図３は、対応テーブル格納部１０５に格納されている対応テーブルの一例を示す図である。
【００４０】
対応テーブルには、「入力原稿サイズ」、「出力原稿サイズ」、「付加画像のサイズ」が定められている。ここで、出力原稿サイズは、入力原稿サイズよりも大きいサイズであり、例えば、入力原稿サイズよりも一回り大きいサイズである。図示の例では、入力原稿サイズ、出力原稿サイズのそれぞれが、一般的なＡ判及びＢ判で定められている。また、出力原稿サイズには、Ａ判及びＢ判の判型のうち、入力原稿サイズの判型よりも大きい次の判型が定められている。
【００４１】
より具体的には、図示の例では、入力原稿サイズとして、Ａ５判、Ｂ５判、Ａ４判、Ｂ４判が定められている。また、これらのＡ５判、Ｂ５判、Ａ４判、Ｂ４判に対応する出力原稿サイズとして、Ｂ５判、Ａ４判、Ｂ４判、Ａ３判が定められている。例えば、入力原稿サイズがＡ５判の場合には、Ａ判及びＢ判のうち、Ａ５判よりも大きい次のサイズであるＢ５判が出力原稿サイズとして定められている。
【００４２】
また、付加画像のサイズは、入力原稿サイズと出力原稿サイズとにより特定されるサイズである。具体的には、出力原稿サイズから入力原稿サイズを差し引いた残りのサイズが、付加画像のサイズである。付言すると、入力原稿サイズと付加画像のサイズとを足し合わせると、出力原稿サイズになる。図示の例では、付加画像のサイズとして、Ａ５判用、Ｂ５判用、Ａ４判用、Ｂ４判用が定められている。例えば、Ａ５判用の付加画像のサイズは、出力原稿サイズであるＢ５判のサイズから、入力原稿サイズであるＡ５判のサイズを差し引いた残りのサイズである。
【００４３】
付言すると、出力原稿サイズ特定部１０３は、第２の動作設定において、対応テーブルを参照して、入力原稿サイズ検知部１０２により検知された入力原稿サイズに対応する出力原稿サイズを特定する。
また、付加画像データ生成部１０４は、第２の動作設定において、対応テーブルを参照して、入力原稿サイズ検知部１０２により検知された入力原稿サイズに対応する付加画像のサイズを特定する。ただし、付加画像データ生成部１０４は、対応テーブルを参照せずに、出力原稿サイズ特定部１０３により特定された出力原稿サイズから、入力原稿サイズ検知部１０２により検知された入力原稿サイズを差し引いて、付加画像のサイズを特定してもよい。
【００４４】
また、図３に示す対応テーブルには、入力原稿サイズとして、一般的な規格のＡ判及びＢ判のサイズが定められているが、入力原稿サイズ検知部１０２により検知された原稿のサイズが、一般的な規格に合わない定形外のサイズ等の場合には、対応テーブルに定められていないことが考えられる。このような場合、出力原稿サイズ特定部１０３は、例えば、対応テーブルに定められた入力原稿サイズのうち、入力原稿サイズ検知部１０２の検知した定形外のサイズよりも大きいサイズであって、定形外のサイズに最も近い入力原稿サイズを選択する。そして、選択した入力原稿サイズに対応する出力原稿サイズを特定する。
【００４５】
例えば、入力原稿サイズ検知部１０２の検知した原稿のサイズがＢ５判とＡ４判との間のサイズである場合について説明する。この場合、出力原稿サイズ特定部１０３は、対応テーブルに定められている入力原稿サイズのうち、検知した原稿のサイズよりも大きくて最も近いサイズであるＡ４判を選択する。そして、Ａ４判に対応するＢ４判を出力原稿サイズとして特定する。
【００４６】
ただし、出力原稿サイズ特定部１０３は、上述した例のようにＢ４判を出力原稿サイズとするのではなく、検知した原稿のサイズよりも大きくて最も近いサイズであるＡ４判を出力原稿サイズとしてもよい。ここで、検知した原稿のサイズはＢ５判とＡ４判との間のサイズであるため、Ａ４判を出力原稿サイズとした場合であっても、入力画像と出力画像との間に差分が生じることになる。そのため、付加画像データ生成部１０４は、この差分を付加画像とする付加画像データを生成すればよい。言い換えると、本実施の形態において、出力原稿サイズ特定部１０３は、入力原稿サイズ検知部１０２の検知した原稿のサイズが対応テーブルに定められていない場合、対応テーブルに定められた出力原稿サイズのうち、検知した原稿のサイズよりも大きいサイズであって、検知した原稿のサイズに最も近い出力原稿サイズを特定することとしてもよい。
【００４７】
＜第２の動作設定において出力画像を生成する処理の説明＞
次に、第２の動作設定において出力画像を生成する処理について、具体例を挙げて説明する。図４は、第２の動作設定において出力画像を生成する処理の一例を説明するための図である。ここで、図中左の画像は、入力原稿データに基づく入力画像１Ａである。また、図中右の画像は、出力原稿データに基づく出力画像１Ｂである。入力画像１Ａに対して、斜線を付した付加画像１Ｃを付加することにより、出力画像１Ｂが生成される。
【００４８】
例えば、図示の入力画像１Ａは、原稿の縦長の方向が正立方向であり、入力原稿サイズはＡ５判である。正立方向とは、その原稿中の文字が正しく読める方向である。そして、図３に示す対応テーブルでは、Ａ５判の入力原稿サイズに対する出力原稿サイズは、Ｂ５判である。そこで、付加画像データ生成部１０４は、Ｂ５判のサイズからＡ５判のサイズを差し引いたサイズの付加画像１Ｃを生成する。そして、出力原稿データ生成部１０６は、入力画像１Ａに対して、生成された付加画像１Ｃを付加して、Ｂ５判のサイズの出力画像１Ｂを生成する。
【００４９】
なお、図４に示す例では、入力画像１Ａの右下の領域に付加画像１Ｃを付加したが、入力画像に付加される付加画像の位置はこのような構成に限られない。
図５（ａ）〜（ｄ）は、付加画像の位置の他の例を示す図である。図５（ａ）に示す付加画像１Ｃは、入力画像１Ａの左上の領域に付加されている。図５（ｂ）に示す付加画像１Ｃは、入力画像１Ａの右上の領域に付加されている。図５（ｃ）に示す付加画像１Ｃは、入力画像１Ａの左下の領域に付加されている。図５（ｄ）に示す付加画像１Ｃは、入力画像１Ａの周辺の領域に付加されている。
【００５０】
さらに、図６（ａ）〜（ｅ）、図７（ａ）〜（ｄ）も、付加画像の位置の他の例を示す図である。ここで、図６（ａ）〜（ｅ）は、入力画像１Ａの正立方向が原稿の横長の方向である場合の例である。図６（ａ）に示す付加画像１Ｃは、入力画像１Ａの左上の領域に付加されている。図６（ｂ）に示す付加画像１Ｃは、入力画像１Ａの右上の領域に付加されている。図６（ｃ）に示す付加画像１Ｃは、入力画像１Ａの左下の領域に付加されている。図６（ｄ）に示す付加画像１Ｃは、入力画像１Ａの右下の領域に付加されている。図６（ｅ）に示す付加画像１Ｃは、入力画像１Ａの周辺の領域に付加されている。
【００５１】
さらに、図７（ａ）、（ｂ）は、入力画像１Ａの正立方向が原稿の縦長の方向である場合の例である。図７（ａ）に示す付加画像１Ｃは、入力画像１Ａの右の領域に付加されている。図７（ｂ）に示す付加画像１Ｃは、入力画像１Ａの左の領域に付加されている。また、図７（ｃ）、（ｄ）は、入力画像１Ａの正立方向が原稿の横長の方向である場合の例である。図７（ｃ）に示す付加画像１Ｃは、入力画像１Ａの下の領域に付加されている。図７（ｄ）に示す付加画像１Ｃは、入力画像１Ａの上の領域に付加されている。
【００５２】
付言すると、図７（ａ）〜（ｄ）に示す例は、出力原稿サイズが、入力原稿サイズの２倍の大きさ（面積）になる場合の例である。例えば、入力原稿サイズがＡ判型の場合、入力原稿サイズのＡ判型よりも大きい次のＡ判型を出力原稿サイズにすると、出力原稿サイズは入力原稿サイズの２倍の大きさになる。また、例えば、入力原稿サイズがＢ判型の場合、入力原稿サイズのＢ判型よりも大きい次のＢ判型を出力原稿サイズにすると、出力原稿サイズは入力原稿サイズの２倍の大きさになる。
【００５３】
例えば、入力原稿サイズがＡ５判型の場合、出力原稿サイズをＡ５判型よりも大きい次のＡ判型であるＡ４判型にすると、出力原稿サイズは入力原稿サイズの２倍の大きさになる。また、例えば、入力原稿サイズがＢ５判型の場合、出力原稿サイズをＢ５判型よりも大きい次のＢ判型であるＢ４判型にすると、出力原稿サイズは入力原稿サイズの２倍の大きさになる。このような場合には、入力画像１Ａに対して、入力原稿サイズと同じ大きさの付加画像１Ｃを付加することにより、出力原稿サイズの出力画像１Ｂが生成される。
【００５４】
図４〜図７に示すように、入力画像に対して付加される付加画像の位置には複数の候補が存在しており、予め定められた手順に従って、複数の候補のうちの何れかが採用される。本実施の形態では、ユーザが付加画像の位置を決定してもよいし、画像処理装置１００が付加画像の位置を決定してもよい。
【００５５】
ユーザが付加画像の位置を決定する場合、例えば、付加画像の位置の候補として、図４〜図７に示す位置が操作パネル１３０に表示される。表示された候補の中からユーザが１つ選択すると、付加画像データ生成部１０４は、選択された位置に付加画像を付加するための付加画像データを生成する。そして、出力原稿データ生成部１０６は、入力画像に対して、ユーザの選択した位置に付加画像を付加して、出力原稿データを生成する。
【００５６】
また、画像処理装置１００が付加画像の位置を決定する場合、付加画像データ生成部１０４は、予め定められた規則に従って、付加画像の位置を決定し、決定した位置に付加画像を付加するための付加画像データを生成する。そして、出力原稿データ生成部１０６は、入力画像に対して、付加画像データ生成部１０４が決定した位置に付加画像を付加して、出力原稿データを生成する。
【００５７】
ここで、予め定められた規則としては、例えば、デフォルトで付加画像の位置が決められている場合や、入力画像の内容によって付加画像の位置が決められる場合等が例示される。
より具体的には、例えば、付加画像データ生成部１０４は、入力画像に対して、ＯＣＲ（Optical Character Recognition）等の処理を行って、入力画像の向き（入力画像の正立方向）を特定する。そして、付加画像データ生成部１０４は、特定した入力画像の向きに対応するデフォルトの位置に、付加画像を付加することを決定する。例えば、入力画像の正立方向が原稿の縦長の方向の場合には、図４、図５（ａ）〜（ｄ）、図７（ａ）、（ｂ）の位置のうちのデフォルトの位置に、付加画像が付加される。
【００５８】
また、図８は、入力画像の内容によって付加画像の位置を決定する処理の一例を説明するための図である。図８に示す入力画像１Ａの正立方向は、原稿の縦長の方向である。ここで、入力画像１Ａ内の文書は全体的に左に偏っており、右の領域に隙間（余白）ができている。例えば、入力画像１Ａの左の領域に付加画像を付加した場合には、入力画像１Ａ内の文書と付加画像１Ｃ内に配置される通知画像との区別がつかず、通知画像があることをユーザが判別しづらいことが考えられる。
【００５９】
そこで、付加画像データ生成部１０４は、入力画像１Ａに含まれる文書の分布や入力画像１Ａ内に存在する隙間を調べて、付加画像１Ｃの位置を決定する。例えば、入力画像１Ａ内の文書が集中していない領域の付近や隙間のある領域の付近に、付加画像１Ｃを付加することを決定する。入力画像１Ａに含まれる文書の分布や隙間については、例えば、入力画像１Ａの各画素の画素値を基に判断される。図８に示す例では、入力画像１Ａの右（右下）の領域に付加画像１Ｃが付加される。
【００６０】
＜付加画像内に配置される通知画像の説明＞
次に、付加画像内に配置される通知画像について、詳細に説明する。通知画像は、外部に通知する情報を含む画像である。外部に通知する情報としては、例えば、原稿上の画像を読み取って入力原稿データを生成する処理（即ち、スキャン処理）に関する情報や、入力画像の内容から生成される情報等が例示される。
【００６１】
まず、スキャン処理に関する情報について説明する。スキャン処理に関する情報としては、例えば、画像読取部１４０の画像読み取りを指示する操作入力を行ったユーザ（即ち、スキャン実施者）を特定する情報が挙げられる。スキャン実施者を特定する情報としては、例えば、ユーザ毎に予め付与されているユーザＩＤや、ユーザ毎に予め撮影された顔写真等が例示される。例えば、ユーザがスキャン処理を指示する前に画像処理装置１００にて行った個人認証により、スキャン実施者が特定される。そして、付加画像データ生成部１０４は、特定されたスキャン実施者のユーザＩＤや顔写真を、ＨＤＤ１２０等の記憶部から取得して、通知画像を生成する。
【００６２】
スキャン実施者のユーザＩＤや顔写真を通知画像として入力画像に付加することにより、誰がスキャンを実施したのかが明示されることになる。そのため、例えば、スキャンが禁止されている原稿がスキャンされることの予防になり、原稿の内容を拡散させることの予防になる。また、原稿のスキャンが行われたとしても、誰がスキャンを実施したのかの追跡（スキャン実施者の特定）が可能になる。
【００６３】
次に、入力画像の内容から生成される情報について説明する。入力画像の内容から生成される情報としては、例えば、入力画像に含まれる文書の一部や入力画像に含まれる文書の要約、入力画像に含まれる文書に関連する他の文書・ＵＲＬ（Uniform Resource Locator）等が例示される。また、例えば、入力画像に含まれる画像の一部や、入力画像に含まれる画像に類似する他の画像等が例示される。さらに、例えば、入力画像の内容に即した広告や、割引などのサービスを受ける権利を与えるクーポン等が例示される。
【００６４】
例えば、付加画像データ生成部１０４は、入力画像の内容を基に、入力画像に含まれる文書や画像の一部を抜き出して、通知画像を生成する。また、例えば、付加画像データ生成部１０４は、ＨＤＤ１２０等の記憶部に記憶されている情報を検索したり、インターネットを介して各種情報を検索したりして、入力画像に含まれる文書に関連する他の文書・ＵＲＬや、入力画像に含まれる画像に類似する他の画像、広告、クーポン等を取得して、通知画像を生成する。例えば、広告やクーポン等の情報を通知画像として入力画像に付加した場合には、入力画像に付加価値が付与された状態で出力されることになる。
【００６５】
また、本実施の形態では、通知画像を生成するのではなく、予め準備しておいてもよい。予め準備される通知画像としては、例えば、画像読み取りを行った画像読取部１４０を特定する情報を含む通知画像が例示される。この場合、通知画像には、例えば、画像読取部１４０が設置されている場所（即ち、スキャン実施場所）を特定する位置情報や、画像読取部１４０を特定するマシンＩＤ等が含まれる。なお、スキャン実施場所を特定する位置情報は、例えば、画像読取部１４０が設置されている住所や、画像読取部１４０の位置を示す地図等を例示することができる。
また、予め準備される通知画像は、例えば、予め定められたＱＲコード（登録商標）やウォーターマーク等であってもよい。
【００６６】
このように、通知画像の内容には複数の候補が存在しており、予め定められた手順に従って、複数の候補のうちの何れかが採用される。本実施の形態では、ユーザが通知画像の内容を決定してもよいし、画像処理装置１００が通知画像の内容を決定してもよい。
【００６７】
ユーザが通知画像の内容を決定する場合、通知画像の候補として、例えば、スキャン実施者のＩＤ、文書の要約、広告など、各種の項目が操作パネル１３０に表示される。表示された候補の中からユーザが１つ選択すると、付加画像データ生成部１０４は、選択された項目の情報を含む通知画像を生成する。
また、画像処理装置１００が通知画像の内容を決定する場合、例えば、付加画像データ生成部１０４は、デフォルトで決められている項目の情報を含む通知画像を生成する。
【００６８】
さらに、本実施の形態では、通知画像を付加画像内のどこに配置するかについて、ユーザが決定してもよいし、画像処理装置１００が決定してもよい。
【００６９】
ユーザが通知画像の位置を決定する場合、例えば、ユーザは、操作パネル１３０に表示された付加画像内で、通知画像を配置する位置を指示する。付加画像データ生成部１０４は、指示された位置に通知画像を配置して、付加画像の画像データを生成する。また、画像処理装置１００が通知画像の位置を決定する場合、例えば、付加画像データ生成部１０４は、付加画像内のデフォルトで決められている位置に通知画像を配置する。
ここで、付加画像データ生成部１０４は、付加画像からはみ出さないように通知画像を配置する。例えば、付加画像内のデフォルトの位置に通知画像を配置すると、通知画像が付加画像からはみ出してしまう場合も考えられる。このような場合には、付加画像データ生成部１０４は、通知画像をデフォルトの位置からずらして、付加画像からはみ出さないようにする。
【００７０】
また、本実施の形態において、付加画像内に配置される通知画像は、１つに限られるものではなく、複数であってもよい。例えば、広告の情報を示す通知画像を複数、付加画像内に配置してもよい。また、付加画像内に配置される通知画像は、１種類に限られるものではなく、複数の種類であってもよい。例えば、スキャン実施者のユーザＩＤの通知画像を付加画像内に配置するとともに、広告の通知画像を付加画像内に配置してもよい。
【００７１】
＜画像処理装置による一連の処理手順＞
次に、画像処理装置１００が入力原稿データを取得して出力原稿データを出力するまでの一連の処理手順について説明する。図９は、画像処理装置１００が入力原稿データを取得して出力原稿データを出力するまでの処理手順の一例を示したフローチャートである。
【００７２】
まず、入力原稿データ取得部１０１は、画像読取部１４０が原稿上の画像を読み取って生成した入力原稿データを取得する（ステップ１０１）。次に、入力原稿データ取得部１０１は、動作設定情報格納部１０７に格納されている動作設定情報を参照し、画像処理装置１００が第２の動作設定で動作中であるか否かを判定する（ステップ１０２）。
【００７３】
ステップ１０２で否定の判断（Ｎｏ）がされた場合、画像処理装置１００は第１の動作設定で動作中である。この場合、入力原稿データ取得部１０１は、入力原稿データを出力原稿データ生成部１０６に出力する（ステップ１０３）。次に、出力原稿データ生成部１０６は、入力原稿データ取得部１０１から取得した入力原稿データを、例えば、操作パネル１３０や画像形成部１５０等に出力する（ステップ１０４）。そして、例えば、操作パネル１３０において入力原稿サイズの入力画像が画面に表示されたり、画像形成部１５０により入力原稿サイズの用紙に入力画像が形成されて出力されたりする。そして、本処理フローは終了する。
【００７４】
一方、ステップ１０２で肯定の判断（Ｙｅｓ）がされた場合、画像処理装置１００は第２の動作設定で動作中である。この場合、入力原稿データ取得部１０１は、入力原稿データを出力原稿データ生成部１０６に出力するとともに、入力原稿サイズ検知部１０２に出力する（ステップ１０５）。
【００７５】
次に、入力原稿サイズ検知部１０２は、取得した入力原稿データのデータ内容を基に、入力原稿サイズを検知する（ステップ１０６）。次に、出力原稿サイズ特定部１０３は、対応テーブル格納部１０５に格納されている対応テーブルを参照して、入力原稿サイズに対応する出力原稿サイズを特定する（ステップ１０７）。
【００７６】
次に、付加画像データ生成部１０４は、入力原稿サイズと出力原稿サイズとを基に付加画像のサイズを特定し、特定したサイズを持つ付加画像の画像データを生成する（ステップ１０８）。ここで、付加画像データ生成部１０４は、対応テーブル格納部１０５に格納されている対応テーブルを参照して、入力原稿サイズに対応する付加画像のサイズを特定してもよいし、対応テーブルを参照せずに、出力原稿サイズから入力原稿サイズを差し引いて、付加画像のサイズを特定してもよい。
【００７７】
次に、出力原稿データ生成部１０６は、入力原稿データ取得部１０１から取得した入力原稿データにおいて入力画像の大きさを変えずに、付加画像を付加し、出力原稿データを生成する（ステップ１０９）。そして、出力原稿データ生成部１０６は、生成した出力原稿データを、例えば、操作パネル１３０や画像形成部１５０等に出力する（ステップ１１０）。そして、例えば、操作パネル１３０において出力原稿サイズの出力画像が画面に表示されたり、画像形成部１５０により出力原稿サイズの用紙に出力画像が形成されて出力されたりする。そして、本処理フローは終了する。
【００７８】
以上説明したように、本実施の形態に係る画像処理装置１００は、第２の動作設定において、入力原稿データにおいて入力画像の大きさを変えずに別の画像を付加し、入力原稿サイズとは異なるサイズの出力原稿データを生成する。ここで、別の画像は入力画像に重ならないように付加されるため、入力画像の内容が維持されて出力画像が出力される。また、入力画像に付加画像が付加されることで、出力画像に含まれる入力画像はオリジナルの画像ではなく、オリジナルの画像を読み取って生成されたものであることが把握される。
【００７９】
また、本実施の形態では、第２の動作設定において、付加画像データ生成部１０４が付加画像データを生成することとしたが、他の装置（不図示）が付加画像データを生成してもよい。この場合には、例えば、画像処理装置１００から他の装置に対して入力原稿データが送信される。他の装置は、画像処理装置１００から受信した入力原稿データを基に、入力画像に付加する付加画像の大きさ、付加する位置、通知画像等を決定して、付加画像データを生成する。そして、他の装置は、生成した付加画像データを画像処理装置１００に送信する。画像処理装置１００は、他の装置から受信した付加画像データを入力原稿データに付加して、出力原稿データを生成する。
【００８０】
さらに、本実施の形態では、第２の動作設定において、付加画像データ生成部１０４が付加画像の画像データを生成することとしたが、付加画像データを予め準備しておいてもよい。この場合には、例えば、各種の入力原稿サイズに対応する付加画像データが、対応テーブル格納部１０５に予め格納される。そして、例えば、出力原稿データ生成部１０６は、入力原稿サイズに対応する付加画像データを対応テーブル格納部１０５から取得し、取得した付加画像データを入力原稿データに付加して出力原稿データを生成する。
【００８１】
そして、本実施の形態では、第２の動作設定において、入力原稿データに付加画像データを付加することとしたが、付加画像データを付加せずに、入力原稿サイズよりも大きい出力原稿サイズで出力することとしてもよい。言い換えると、出力原稿データ生成部１０６は、入力原稿データ取得部１０１から取得した入力原稿データについて、入力画像の大きさを変えずに、また付加画像を付加せずに、原稿のサイズを入力原稿サイズよりも大きい出力原稿サイズにして、例えば操作パネル１３０や画像形成部１５０等に出力してもよい。
【００８２】
例えば、操作パネル１３０に出力された場合には、入力原稿サイズの入力画像に余白が足され、全体として出力原稿サイズとなった状態で画面に表示される。また、例えば、画像形成部１５０に出力された場合には、出力原稿サイズの用紙が出力され、その用紙には入力画像が形成されるとともに、入力原稿サイズと出力原稿サイズとの差分の領域は余白になる。このように、入力原稿データに付加画像データを付加せずに、入力原稿サイズよりも大きい原稿で出力した場合にも、入力画像の内容は維持される。さらに、出力された原稿のサイズは入力原稿サイズよりも大きいことから、出力された入力画像がオリジナルの画像ではなく、オリジナルの画像を読み取って生成されたものであることが把握されることになる。
【００８３】
＜適用可能なコンピュータの説明＞
ところで、本実施の形態に係る画像処理装置１００による処理は、例えば、ＰＣ（Personal Computer）等の汎用のコンピュータにおいて実現してもよい。そこで、この処理をコンピュータ２００で実現するものとして、そのハードウェア構成について説明する。図１０は、本実施の形態を適用可能なコンピュータ２００のハードウェア構成例を示した図である。
【００８４】
コンピュータ２００は、演算手段であるＣＰＵ２０１と、記憶手段であるメインメモリ２０２及び磁気ディスク装置（ＨＤＤ）２０３とを備える。ここで、ＣＰＵ２０１は、ＯＳやアプリケーション等の各種プログラムを実行する。また、メインメモリ２０２は、各種プログラムやその実行に用いるデータ等を記憶する記憶領域であり、磁気ディスク装置２０３は、図２に示す各機能部を実現するためのプログラムを格納する。そして、このプログラムがメインメモリ２０２にロードされ、このプログラムに基づく処理がＣＰＵ２０１により実行されることで、各機能部が実現される。
さらに、コンピュータ２００は、外部との通信を行うための通信インタフェース（Ｉ／Ｆ）２０４と、ビデオメモリやディスプレイ等からなる表示機構２０５と、キーボードやマウス等の入力デバイス２０６とを備える。
【００８５】
より具体的には、ＣＰＵ２０１が、入力原稿データ取得部１０１、入力原稿サイズ検知部１０２、出力原稿サイズ特定部１０３、付加画像データ生成部１０４、出力原稿データ生成部１０６、動作設定切替部１０８等を実現するプログラムを、例えば磁気ディスク装置２０３からメインメモリ２０２に読み込んで実行することにより、これらの機能部が実現される。また、対応テーブル格納部１０５、動作設定情報格納部１０７は、例えば、磁気ディスク装置２０３等により実現される。
【００８６】
また、本発明の実施の形態を実現するプログラムは、通信手段により提供することはもちろん、ＣＤ−ＲＯＭ等の記録媒体に格納して提供することも可能である。
【００８７】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【００８８】
１００…画像処理装置、１０１…入力原稿データ取得部、１０２…入力原稿サイズ検知部、１０３…出力原稿サイズ特定部、１０４…付加画像データ生成部、１０５…対応テーブル格納部、１０６…出力原稿データ生成部、１０７…動作設定情報格納部、１０８…動作設定切替部
【図１】
2018160768.tif 000003
【図２】
2018160768.tif 000004
【図３】
2018160768.tif 000005
【図４】
2018160768.tif 000006
【図５】
2018160768.tif 000007
【図６】
2018160768.tif 000008
【図７】
2018160768.tif 000009
【図８】
2018160768.tif 000010
【図９】
2018160768.tif 000011
【図１０】
2018160768.tif 000012